(57)【特許請求の範囲】
【請求項１】
水を入れた容器の保持用と、容器の水切り用とを兼ねた容器保持具であって、基体と、その基体の表面側に設けたフックと、そのフックの下方に前記基体より前方へ二股状に突出させた取手支持部と、その取手支持部の両先端の本体支持部とで成る容器保持具。
【請求項２】
基体と、その基体の表面側より前方へ二股状に突出させた取手支持部と、その取手支持部の両先端の本体支持部と、前記取手支持部の片側で前記基体と前記本体支持部との略中間の上部に設けたヒンジと、そのヒンジに取付けたフックと、そのフックに対向する側の前記取手支持部に設けた前記フックの端部を受け止めるストッパー部とで成る容器保持具。
【請求項３】
前記フックの取手を掛ける部位が、前記取手支持部の前記二股状の中間の上方に位置するよう形成した請求項１または請求項２に記載の容器保持具。
【請求項４】
前記フックから前記本体支持部の内側までの寸法より、前記フックから前記本体支持部の外側の寸法が長く形成した請求項１〜３のいずれかに記載の容器保持具。
【請求項５】
洗面化粧台の板部又は台所のシンク前の壁部を前記基体として、前記取手支持部と前記本体支持部と前記フックを設けた請求項１〜４のいずれかに記載の容器保持具。
【発明の詳細な説明】
【技術分野】
【０００１】  本発明は、水を入れた容器の保持と、水切りを兼ねた容器保持具に関するものである。
【背景技術】
【０００２】  特許文献はもとより店舗や通信販売カタログおよびインターネットを調査したが、水を入れた容器が外底に接触せず保持でき、容器の内底や飲み口に接触せず水切りができる一つで二つの用途を兼ねた容器保持具は同一類似とも見当たらない。【０００３】  水を入れて保持することは不可能であるが、水切りのみを目的とした容器保持具は従来から存在する。フックに取手を掛けるものや、容器の内底又は飲み口に器具の支持部を接触させて保持するものの他、専用の容器を用いるものがある。
【発明の概要】
【発明が解決しようとする課題】
【０００４】  上記のいずれも水を入れた容器を保持できない上、フックに掛けるものは、容器の重心２０が底部近傍にあるため、飲み口１３が上に向き水切りできず埃が入る恐れがある。容器の内底１２又は飲み口１３に器具の支持部が接触して水切りするものは、接触部位の乾燥が遅く、細菌の繁殖や水垢の発生などで不衛生になる恐れがある。（図９ａｂｃ参照）【０００５】  容器の取手を挟んで保持するものは、取手１１の形状が挟持部８と適合する専用の容器１０以外は使用できない不便さがある。取手１１に設けた孔７に係止棒９を挿入して水切りするものも専用の容器１０以外は使用できない不便さがある。（図９ｄｅ参照）【０００６】  洗面化粧台４０に、水切りと水を入れた容器を保持する機能を兼備したものは見当たらない、そのため水を入れた容器１０はボウル４１近傍の台上４３に載置することになり、ボウル４１で飛び散る汚水が容器１０の中に入るなどで容器１０の中の水を捨て、或いは容器１０の外底に台上４３の水濡れや汚れが付着し、逆さにして水切りの際はその汚れが垂れ下がるため容器１０を洗浄するなど水の無駄が発生する。（図６ａ参照）【０００７】  台所に容器保持具を備えたものは見当たらない、そのため調理で鍋に足し水など容器が必要な都度食器棚から取り出すなどの手間がかかる。【０００８】  この発明の課題は、以上の問題を解決するために、水を入れた容器を外底に支持部が接触せず保持でき、且つ容器の内底や飲み口に支持部が接触せずに水切りができ、形状が多様な多くの容器に適合する容器保持具を提供するにある。
【課題を解決するための手段】
【０００９】  基体と、その基体の表面側に設けたフックと、そのフックの下方に前記基体より前方へ二股状に突出させた取手支持部と、その取手支持部の両先端の本体支持部とで構成する
基体と、その基体の表面側より前方へ二股状に突出させた取手支持部と、その取手支持部の両先端の本体支持部と、前記取手支持部の片側で前記基体と前記本体支持部との略中間の上部に設けたヒンジと、そのヒンジに取付けたフックと、そのフックに対向する側の前記取手支持部に設けた前記フックの端部を受け止めるストッパー部とで構成する。
前記フックの取手を掛ける部位が、前記取手支持部の前記二股状の中間の上方に位置するよう形成する。
前記フックから前記本体支持部の内側までの寸法より、前記フックから前記本体支持部の外側の寸法が長く形成する。
洗面化粧台の板部又は台所のシンク前の壁部を前記基体として、前記取手支持部と前記本体支持部と前記フックを設ける。
【発明の効果】
【００１０】  この発明によれば、
（ａ）水を入れた容器を外底が支持部に接触せずボウルから離れた位置に保持することで、ボウルから飛散する汚水が容器に入らず、容器の外底に台上の水濡れや汚れが付着することもなく清潔に保持し、節水に寄与できる。
（ｂ）容器の内底や飲み口に支持部が接触せず水切りすることで、水垢の発生や細菌の繁殖を防ぎ清潔に保持できる。
（ｃ）フックを可動にしたことで、本保持具への掛け外しが、容器を上方向に移動させるだけででき、使い勝手を向上させた。
（ｄ）容器の収納輸送や、容器の飾り台に利用でき、台所にも設けられる。
（ｅ）美観を損なうことなく本保持具を設けた洗面化粧台ができる。
（ｆ）形状が多様な、多くの容器に適合できる。
【図面の簡単な説明】
【００１１】
【図１】使用状態を示す斜視図と構造を示す正面図である。
【図２】作用と各部位の位置関係を示す側面図と平面図である。
【図３】フックを可動にした斜視図と使用方法を説明する模式図である。
【図４】板状の基体に複数の容器を保持する斜視図である。
【図５】柱状の基体に複数の容器を保持する側面図と平面図である。
【図６】本発明の容器保持具を設けた洗面化粧台の斜視図である。
【図７】金属線により形成した実施例の斜視図と側面図と正面図と平面図である。
【図８】容器の適合可否を示す側面図である。
【図９】従来の容器保持具の使用状態を示す模式図である。
【発明を実施するための形態】
【００１２】  図に基づき説明する。図１（ａ）は、容器１０の水切りをして保持する状態を示し、容器１０の飲み口１３を下にして取手内側下端部１１ｂをフック４に掛け、取手１１を二股状で二本の取手支持部２の内側に配置すると容器本体１０ａは本体支持部３に接触して３点支持となり容器１０は水切りの状態で安定して保持される。
【００１３】  図１（ｂ）は、水１５を入れた容器１０を保持した状態を示し、図１（ａ）の反対側からの斜視図である。容器１０の飲み口１３を上にしてフック４に取手内側下端部１１ｂ近傍の空間を挿入し、取手１１を二本の取手支持部２の上方に配置して容器１０を下方へ下げると取手１１は二股状で二本の取手支持部２の間に入り、容器本体１０ａは本体支持部３に接触して３点支持となり容器１０は水１５を入れた状態で安定して保持される。
【００１４】  図１と図２の実施例の構成は、板状の基体１の表面に設けたフック４は、前方に突き出した上、横に曲げ、フック４の中心の図１（ｃ）で示す破線の円内が、二本の取手支持部２の中間の上方となるよう形成する。
フック４の下方に基体１より前方へ二股状に突出させた二本で一組となる取手支持部２を形成し、その取手支持部２の両先端に本体支持部３を形成し、以上を樹脂により一体成型する。基体１の上下に設けた孔３２により壁面に取付ける。なお、壁面取付け手段は吸盤・釘・ネジ・接着・フックなど公知の方法でよい。
【００１５】  図２（ａ）は、本発明の作用を示し、容器１０の重心２０からフック４に対し引張荷重２１がかかり、二箇所の本体支持部３には押圧荷重２２がかかり、容器１０は負荷をかけた３点で支持され、二本の取手支持部２が取手１１を両側から抑え容器の横揺れを防ぐ。
【００１６】  図２（ｂ）は各部位の位置関係を示したものである。フック４が基点となるため、フック４を可塑性の材料にし、位置調整可能にしても良い。
基体１とフック４までの間隔４ｃは短いほど基体１にかかる負荷が軽くなるため短いほど良いが取手１１が緩く通る寸法に設定する。
フック４と取手支持部２の上端までの間隔４ｄは、長いほど堅固に容器１０を保持できるが、取手１１が緩く通り、且つ、取手１１が取手支持部２から外れない範囲とする。
フック４と本体支持部３までの水平方向寸法４ｅは、長短により容器１０が前後に傾くため水を入れた容器１０が略垂直になる寸法にする。水切りの状態では傾いてもよい。
請求項２はフック４と取手支持部２の上端までの間隔４ｄを除き上記寸法を適用する。
【００１７】  市販のマグカップと呼ばれる容器１０の多くが適合する寸法は基体１とフック４までの間隔４ｃは１０ミリから２０ミリであり、フック４と取手支持部２の上端までの間隔４ｄは１５ミリから２５ミリであり、フック４と本体支持部３までの水平方向寸法４ｅは１５ミリから３５ミリに設定すればよい。
【００１８】  図２の（ｃ）はフック４から本体支持部３の内側までの寸法３ｃよりフック４から本体支持部３の外側までの寸法３ｄの方が長く形成することで容器１０は自重により両本体支持部３の中心部に入り容器１０の横移動を抑える。
【００１９】  図３は、請求項２の構成を示す（ａ）は斜視図である。
基体１の表面より前方へ二股状に突出させた二本で一組となる取手支持部２とその取手支持部２の両先端に本体支持部３を形成し、基体１と本体支持部３との略中間の一方の取手支持部２の上部に設けたヒンジ５にフック４を上下可動に取り付ける。
対する一方の取手支持部２にフック端部４ｂを受け止めるストッパー部６を設ける。
なお、フック４をストッパー部６方向に付勢させるため、ばね入りのヒンジ５又は、ヒンジ５とフック４を一体で樹脂成型して樹脂の弾性を利用しても良い。
又は、フック端部４ｂを重くし、自重でストッパー部６に下がるようにしても良い。
【００２０】  図３の（ｂ）（ｃ）（ｄ）（ｅ）は請求項２の使用方法と作用を説明する模式図である。
容器１０を掛けるため、（ｂ）で二本の取手支持部２の間に下方から通した取手外側上端部１１ｃでフック４を押し上げ、（ｃ）で取手１１の内側にフック４が入りフック端部４ｂがストッパー部６に係止され容器１０は保持される。
容器１０を外すため、（ｄ）で容器１０を上方に持ち上げると、フック４が取手内側下端部１１ｂにより押し上げられ、（ｅ）で、フック４が取手１１から外れ容器１０を外す。
以上は水１５を入れた容器１０の例であり、水切りの場合も容器１０を逆さにするだけで要領は同一である。以上のように容器１０を上に動かすだけで掛け外せる特徴がある。
【００２１】  図４（ａ）は板状の基体１にフック４を複数取付け、フック４の下部に二股状の取手支持部２をフック４に対応する同数組形成したものであり、（ｂ）はフック可動型である。
隣接の容器１０との干渉を防ぐため、取付け位置は一組ごとに高低差をつけてもよい。
なお、５箇所とも構造が同一のため、図の符号は１ヵ所にのみ記載し、他は省略した。
【００２２】  図５（ａ）は、容器を２個保持した側面図であり、（ｂ）は容器を６個保持した平面図である。柱状の基体１に複数のフック４を設け、フック４の下部に取手支持部２をフック４と同数組設ける。基体１の下部に台座３０を取付ける。なお、図の同一構造部は符号を一部分にのみ記載し他は省略した。請求項２のフック可動方も同様に取付けてもよい。
隣接の容器１０との干渉を防ぐため、取付け位置は一組ごとに高低差をつけてもよい。
【００２３】  図６は、本発明の容器保持具を組み込んだ洗面化粧台４０であり、（ａ）は全体の正面図であり、（ｂ）は破線で囲んだ取り付け部を拡大した斜視図である。洗面化粧台４０のボウル４１の上部に位置する板部４２に取手支持部２と本体支持部３を設け、その上部にフック４を設ける。以上をミラーキャビネット４４の裏面に設けても良い。
台所のシンク前の壁部に取付ける場合は、図６と略同一構成のため図は省略した。
【００２４】  図７は、金属線により形成し、基体１の背面に吸盤３１を設けた実施例である。
【００２５】  各実施例の構成素材は、樹脂や金属線の他、木材または金属板などでも良い。或いはそれらの組合せでも良い。
【００２６】  図８は、容器１０の形状による適合可否を示し、（ａ）のように容器本体１０ａが筒形で、取手１１を有し、取手１１の両端部が容器本体１０ａと結合しているものが好適である。
（ｂ）のように取手１１の一方の端部が容器本体１０ａと離れている形のものは、水１５を入れた容器１０の保持あるいは水切りのいずれか一方のみ使用可能である。
又、（ｃ）のように底が浅く椀状をなす容器１０は、その程度により不適合なものがある。
【００２７】  図９は、従来の容器保持具を示し、（ａ）はフック４に取手を掛ける型で重心２０がフック４の直下となるため、水切りが不完全で埃が入る恐れがある。
（ｂ）の内底１２に支持部３が接触する型と、（ｃ）の飲み口１３に支持部３が接触する型は、支持部の接触部位の乾燥が遅く水垢の発生や細菌が増殖する恐れがある。
（ｄ）の取手１１の形状に合致させた挟持部８で保持する型と、（ｅ）の取手１１に設けた係止穴７に係止棒９を挿入して保持する型は、専用の容器以外は使えない不便さがある。
【符号の説明】
【００２８】１    基体
２    取手支持部
３    本体支持部
３ａ  本体支持部の内側寸法
３ｂ  本体支持部の外側寸法
４    フック
４ｂ  フックの端部
５    ヒンジ
６    ストッパー部
１０  容器
１０ａ容器本体
１１  取手
１１ａ取手内側上端部
１１ｂ取手内側下端部
１１ｃ取手外側上端部
１１ｄ取手外側下端部
１２  容器内底
１３  飲み口
１４  容器外底
２０  重心
３０  台座
４０  洗面台
４２  板部
４４  ミラーキャビネット
【要約】
【課題】水を入れた容器の保持用と、容器の水切り用を兼用し、水を入れた容器を外底に支持部が接触せず保持でき、且つ容器の内底や飲み口に支持部が接触せずに水切りができ、形状が多様な多くの容器に適合する容器保持具を提供する。
【解決手段】基体１と、その基体１の表面側に設けたフック４と、そのフック４の下方に前記基体１より前方へ二股状に突出させた取手支持部２と、その取手支持部２の両先端の本体支持部３とで構成する。
容器１０の取手１１をフック４に掛け、取手１１を二本の取手支持部２の間に配置し容器本体１０ａを二箇所の本体支持部３に接触させると容器１０は３点支持により保持される。
【選択図】図１【図１】
0004700134.tif 000002
【図２】
0004700134.tif 000003
【図３】
0004700134.tif 000004
【図４】
0004700134.tif 000005
【図５】
0004700134.tif 000006
【図６】
0004700134.tif 000007
【図７】
0004700134.tif 000008
【図８】
0004700134.tif 000009
【図９】
0004700134.tif 000010